(57)【特許請求の範囲】
【請求項１】
複数人用の歌唱部分を持ち、少なくとも１人の歌唱部分を示す歌唱情報を有する楽曲情報を再生可能な再生手段と、歌唱音声を入力可能なマイクロフォンとを備え、前記再生手段により再生される楽曲情報と前記マイクロフォンにより入力された歌唱音声とを出力可能な楽音再生装置において、
前記楽曲情報が、前記歌唱情報とともに前記再生手段により再生される際に、前記マイクロフォンから入力される歌唱音声を記憶する歌唱音声記憶手段と、
この歌唱音声記憶手段に記憶されている歌唱音声のうち、所望の歌唱音声を選択する歌唱音声選択手段と、
この歌唱音声選択手段により選択された歌唱音声を前記歌唱音声記憶手段から読出す歌唱音声読出手段と、
この歌唱音声読出手段により読出された歌唱音声を前記再生手段へ出力する歌唱音声出力手段と、
が備えられ、
前記楽曲情報には、前記歌唱情報により示される歌唱する部分の主旋律を示す主旋律情報が含まれており、
前記前記マイクロフォンから入力される歌唱音声により形成される旋律と、前記主旋律情報により示される主旋律とのずれの大きさを演算し、ずれの大きい場合に低い演算値とし、ずれの小さい場合に高い演算値とする演算手段と、
少なくとも前記演算手段の演算値が所定値以下である場合は、前記演算手段で演算対象となった歌唱音声を前記歌唱音声選択手段における所望の歌唱音声としての選択を禁止する音声再生禁止手段と、を有する楽音再生装置。
【請求項２】
前記マイクロフォンには、そのマイクロフォンの指向性を変更する指向性変更手段が設けられたことを特徴とする請求項１に記載の楽音再生装置。
【請求項３】
前記歌唱情報は、男性が歌う部分を示す男性用歌唱情報および女性が歌う部分を示す女性用歌唱情報からなり、
前記マイクロフォンから入力される音声が、男性の音声および女性の音声のいずれであるかを前記マイクロフォンから入力される音声の少なくとも周波数に基づいて判別する音声判別手段が備えられており、
前記歌唱音声選択手段は、前記音声判別手段により判別された一方の音声に対する他方の音声を示す歌唱音声を前記歌唱音声記憶手段から選択するものであることを特徴とする請求項１又は請求項２に記載の楽音再生装置。
【発明の詳細な説明】
【０００１】
【発明の属する技術分野】
この発明は、楽音を再生する楽音再生装置であって、１人でデュエット曲をデュエットすることができるカラオケ装置として好適なものに関する。
【０００２】
【従来の技術】
従来、上記カラオケ装置として、１人でデュエット曲を歌う場合に、自分の歌っている声から他方のパートの音声を電気的に作り出し、デュエットしている雰囲気を出すものが知られている。
【０００３】
【発明が解決しようとする課題】
しかし、上記のものは、他方のパートを自分の声から電気的に作り出すものであるため、違和感があるという問題がある。たとえば、男女でデュエットする曲を男性が１人で歌う場合には、マイクロフォンから入る男性の声に基づいて女性の声を電気的に作り出すものであるため、その作り出された声は、女性の声に似ているが、歌い方は自分の歌い方と同じであるため、デュエットらしさを出すことが困難である。
【０００４】
そこで、本発明は、デュエット曲を１人で歌う場合に、他方のパートを他人の声で再生することにより、本当に２人でデュエットしている感じを出すことができる楽音再生装置の実現を目的とする。
【０００５】
【課題を解決するための手段】
本発明は、上記目的を達成するため、
請求項１に記載の発明では、複数人用の歌唱部分を持ち、少なくとも１人の歌唱部分を示す歌唱情報を有する楽曲情報を再生可能な再生手段と、歌唱音声を入力可能なマイクロフォンとを備え、前記再生手段により再生される楽曲情報と前記マイクロフォンにより入力された歌唱音声とを出力可能な楽音再生装置において、
前記楽曲情報が、前記歌唱情報とともに前記再生手段により再生される際に、前記マイクロフォンから入力される歌唱音声を記憶する歌唱音声記憶手段と、
この歌唱音声記憶手段に記憶されている歌唱音声のうち、所望の歌唱音声を選択する歌唱音声選択手段と、
この歌唱音声選択手段により選択された歌唱音声を前記歌唱音声記憶手段から読出す歌唱音声読出手段と、
この歌唱音声読出手段により読出された歌唱音声を前記再生手段へ出力する歌唱音声出力手段と、
が備えられ、
前記楽曲情報には、前記歌唱情報により示される歌唱する部分の主旋律を示す主旋律情報が含まれており、
前記前記マイクロフォンから入力される歌唱音声により形成される旋律と、前記主旋律情報により示される主旋律とのずれの大きさを演算し、ずれの大きい場合に低い演算値とし、ずれの小さい場合に高い演算値とする演算手段と、
少なくとも前記演算手段の演算値が所定値以下である場合は、前記演算手段で演算対象となった歌唱音声を前記歌唱音声選択手段における所望の歌唱音声としての選択を禁止する音声再生禁止手段と、を有するという技術的手段を採用する。
【０００８】
請求項２に記載の発明では、請求項１に記載の楽音再生装置において、前記マイクロフォンには、そのマイクロフォンの指向性を変更する指向性変更手段が設けられたという技術的手段を採用する。
【０００９】
請求項３に記載の発明では、請求項１又は請求項２の１つに記載の楽音再生装置において、前記歌唱情報は、男性が歌う部分を示す男性用歌唱情報および女性が歌う部分を示す女性用歌唱情報からなり、
前記マイクロフォンから入力される音声が、男性の音声および女性の音声のいずれであるかを前記マイクロフォンから入力される音声の少なくとも周波数に基づいて判別する音声判別手段が備えられており、
前記歌唱音声選択手段は、前記音声判別手段により判別された一方の音声に対する他方の音声を示す歌唱音声を前記歌唱音声記憶手段から選択するものであるという技術的手段を採用する。
【００１０】
【作用】
請求項１ないし請求項３に記載の発明によれば、上記楽曲情報が、上記歌唱情報とともに上記再生手段により再生される際に、上記マイクロフォンから入力される歌唱音声は、
歌唱音声記憶手段により音声情報として記憶される。
たとえば、後述する発明の実施の形態に記載するように、デュエット曲を歌う際にマイクロフォンから入力される女性の声は、デジタルビデオディスク（以下、ＤＶＤと略称する）プレーヤにより女性音声データとして記憶される。
【００１１】
そして、上記歌唱音声記憶手段に記憶されている音声情報のうち、所望の歌唱音声が、歌唱音声選択手段により選択される。
たとえば、後述する発明の実施の形態に記載するように、送信器に設けられた女性パート選択ボタンにより、ＤＶＤ−ＲＡＭに記憶されているパートデータテーブルの中から、
女性のパートを示すパートデータを選択できる。
【００１２】
続いて、上記歌唱音声選択手段により選択された歌唱音声は、歌唱音声読出手段により上記歌唱音声記憶手段から読出される。
たとえば、上記例では、送信器の女性パート選択ボタンにより選択されたパートデータは、ＤＶＤプレーヤにより読み出される。
続いて、上記歌唱音声読出手段により読出された歌唱音声は、歌唱音声出力手段により上記再生手段へ出力される。
たとえば、上記例では、ＤＶＤプレーヤにより読出されたパートデータは、制御装置内のデコーダへ出力される。
【００１３】
このように、デュエット曲を歌うときのマイクロフォンから入力される音声を記憶しておくことにより、次に誰かが同じ曲を１人で歌うときに、記憶されている他のパート、つまり、他人が歌ったパートを読出して再生することができるため、デュエットすることができる。
したがって、他のパートを歌う声は、従来のように、自分の声から電気的に作り出したものではなく、他人の声であり、かつ、歌い方も異なるため、違和感がなく、２人でデュエットする場合と同じ雰囲気で歌うことができる。しかも、男女が別パートを歌う部分を有する曲であっても、その別パートを他人の声で再生することができるため、デュエットすることができる。
【００１５】
また、請求項１に記載の発明では、上記楽曲情報には、上記歌唱情報により示される歌唱する部分の主旋律を示す主旋律情報が含まれており、上記音声情報により形成される旋律と、上記主旋律情報により示される主旋律とのずれの大きさを演算する演算手段とが備えられている。
したがって、たとえば、後述する発明の実施の形態に記載するように、主旋律情報たるメロディーラインと歌い手のボーカルラインとのずれの大きさを採点することができる。
そして、少なくとも上記演算手段の演算値が所定値以下である場合は、上記歌唱音声の前記歌唱音声選択手段における所望の歌唱音声としての選択を禁止する音声再生禁止手段が備えられている。
したがって、上記例では、採点結果が基準点以下である場合は、マイクロフォンから入力されて記憶された音声データを消去することができる。
つまり、デュエットする人は、歌の上手な人とデュエットすることを希望する場合が多いことから、歌の下手な人の音声は、記憶しないようにする。
【００１６】
さらに、請求項２に記載の発明では、上記マイクロフォンには、そのマイクロフォンの指向性を変更する指向性変更手段が設けられているため、指向性を強くすることにより、
歌い手の声以外の音がマイクロフォンから入力され難くすることができる。
【００１７】
またさらに、請求項３に記載の発明によれば、上記マイクロフォンから入力される音声が、男性の音声および女性の音声のいずれであるかが、上記マイクロフォンから入力される音声の少なくとも周波数に基づいて音声判別手段により判別することができる。
つまり、男性の声と女性の声とでは、使用する周波数帯が異なることから、マイクロフォンから入力される音声の平均周波数を演算し、その演算値が基準の周波数よりも低い場合は男性の声であり、高い場合は女性の声であると判別することができる。
【００１８】
そして、上記歌唱音声選択手段は上記音声判別手段により判別された一方の音声に対する他方の音声を示す歌唱音声を上記歌唱音声記憶手段から選択する。
つまり、マイクロフォンから音声を入力した人とは、異なる性別の音声を示す歌唱音声を歌唱音声記憶手段から選択する。
したがって、たとえば、後述する発明の実施の形態に記載するように、マイクロフォンから音声を入力した人が男性である場合には、女性が歌うパートを示すパートデータがＤＶＤ−ＲＡＭのパートデータテーブルから読み出される。
【００１９】
【発明の実施の形態】
以下、本発明の楽音再生装置の一実施形態について図を参照して説明する。
なお、以下の実施形態では、楽音再生装置として、通信回線を利用して曲が提供される、いわゆる通信カラオケ装置を代表に説明する。
まず、本実施形態の通信カラオケ装置の主要構成について、その外観を示す図１を参照して説明する。
【００２０】
図１に示すように、カラオケ装置１０には、カラオケ用の背景映像、歌詞を示す歌詞映像、後述するデュエット制御が実行される場合のメッセージなどをＣＲＴに表示するモニタ１２と、歌い手のモニタ用のモニタ１４とが備えられている。また、上記デュエット制御、歌い手の歌唱力の採点、通信回線５３を介しての楽曲情報たる曲データの受信、選曲、曲の予約、演奏される曲の音程制御（キーコントロール）、モニタ１２，１４に表示される映像の切替え、合成、分割などの各種制御を行う制御装置２０が備えられている。
【００２１】
さらに、マイクロフォン１７，１８から入力される音声と楽曲たるカラオケ曲とのミキシング、音声とカラオケ曲との音量バランス、エコー調整、ディレイ調整、音声信号の増幅、高音、低音の制御（トーンコントロール）などを行うアンプ１６と、このアンプ１６から出力される増幅信号を音として再生するフロアータイプの１組のスピーカ１１，１１と、天井用の１組のスピーカ１３，１３と、制御装置２０を遠隔操作する送信器７０とが備えられている。
また、マイクロフォン１７には、図５に示すように、マイクロフォン１７を起動させるスイッチ１７ａと、マイクロフォン１７の指向性の強弱を切り替える指向性変更手段たる指向性切替スイッチ１７ｂとが設けられている。なお、マイクロフォン１８もマイクロフォン１７と同じ構成である。
アンプ１６、制御装置２０、スピーカ１１，１１およびスピーカ１３，１３が、本発明の再生手段に相当する。
【００２２】
次に、制御装置２０の装備について図２を参照して説明する。
図２（Ａ）は、制御装置２０の前面パネルの説明図、同図（Ｂ）は、制御装置２０の背面パネルの説明図である。
図２（Ａ）に示すように、制御装置２０の前面パネルには、選曲する曲の番号の入力などを行うための０〜９のボタンからなるテンキー２１と、制御装置２０を選曲可能状態にし、また、選曲を確定するための選曲ボタン２２とが設けられており、テンキー２１の上には、選曲された曲の番号を５桁の数字でＬＥＤ表示する選曲番号表示体２３が設けられている。
【００２３】
また、選曲番号表示体２３の左には、演奏が予約されている曲の数をＬＥＤ表示する予約曲数表示体２４が設けられており、その下には、予約の取消を行うための取り消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、送信器９０から発信される光信号を受光する受光部３８が設けられており、左下には、制御装置２０の電源を起動させる電源ボタン５９が設けられている。
【００２４】
また、テンキー２１の右には、演奏される曲のキーを低くするためのフラットキー２９と、キーを標準にする標準キー３０と、キーを高くするシャープキー３１とが設けられており、その下には、ボーカルのメロディーラインの音量を設定するボーカルボタン３２と、２コーラス目をカットする２コーラスカットボタン３３と曲の後奏部分をカットする後奏カットボタン３４とが設けられている。
さらに、その下には、カラオケを行うモードとカラオケを行わないモードとに切り替えるカラオケ切替ボタン３５と、通信回線５３を介して入力されるデータを曲データからＢＧＭ、有線放送、テレビ放送などに切り替える入力切替ボタン３６と、ＣＲＴ１２，１４の表示をカラオケ店が提供しているサービス情報の表示に切り替えるサービスボタン３７とが設けられている。
【００２５】
また、図２（Ｂ）に示すように、制御装置２０の背面パネルには、曲データを保有するサーバー１５（図４参照）から配信される曲データを受信する通信回線５３を接続する通信端子４０が設けられており、この通信端子４０の右方には、アンプ１６の音声入力端子（図示省略）と接続される音声出力端子４１と、アンプ１６の音声出力端子（図示省略）と接続される音声入力端子４２と、モニタ１２の映像入力端子（図示省略）と接続される映像出力端子４３と、モニタ１４の映像入力端子（図示省略）と接続される映像出力端子４４とが設けられている。
【００２６】
また、図示しないが、アンプ１６には、音量を調整するボリュームつまみと、マイクロフォン１７，１８を接続するマイクロフォン端子と、それらマイクロフォンから入力される音声とカラオケ曲との音量のバランス調整を行うためのバランス調整つまみと、エコーのかかり具合を調整するためのエコー調整つまみと、ディレイのかかり具合を調整するためのディレイ調整つまみなどが設けられている。
【００２７】
次に、送信器７０の構成について、それを示す図３を参照して説明する。
送信器７０の左上には、制御装置２０の電源をＯＮ、ＯＦＦする電源ボタン７１が設けられており、右上には、曲の演奏終了後に拍手の音を再生するように設定するための拍手ボタン７２が設けられており、その左には、拍手のモード（種類）を切り替えるモード切替ボタン７３が設けられている。それらボタンの下には、制御装置２０に設けられた各ボタンと同じ作用を行うボーカルボタン７４と、２コーラスカットボタン７５と、後奏カットボタン７６とが設けられている。
また、それらボタンの下には、制御装置２０に設けられた各ボタンと同じく、フラットキー７７、標準キー７８、シャープキー７９、テンキー８０、選曲キー８１、演奏停止キー８２、取り消しキー８３、歌い直しキー８４、割り込みキー８５が設けられている。
【００２８】
さらに、送信器７０には、デュエット曲を１人で歌うことを設定するソロ設定ボタン８６、ＤＶＤ−ＲＡＭに記憶された他人の声とデュエットすることを設定するデュエットボタン８７、このデュエットボタン８７を押した場合に男性が歌うパートを他人の声で歌わせることを選択する男性パート選択ボタン８８、同じく女性が歌うパートを他人の声で歌わせることを選択する女性パート選択ボタン８９、同性の者がデュエットする曲を歌う場合に声の高い方のパートを他人の声で歌わせることを選択する高音パート選択ボタン９０、同じく低い方のパートを他人の声で歌わせることを選択する低音パート選択ボタン９１が設けられている。
【００２９】
またさらに、男女のいずれが歌うのか特定されていないパートを有するデュエット曲を歌う場合に、どのパートを他人の声で歌わせるかを設定する１〜６の選択ボタン９２、自分の歌声の録音を許可する場合および一方のパートのカラオケ装置による再生を許可するためのＯＫボタン９３が設けられている。
なお、上記各ボタンおよびキーを押したときに、そのボタンまたはキーに対応する信号が、発信部９４に内蔵されたＬＥＤから発信される。
また、デュエットボタン８７、男性パート選択ボタン８８、女性パート選択ボタン８９、高音パート選択ボタン９０、低音パート選択ボタン９１および選択ボタン９２が、本発明の歌唱音声選択手段に相当する。
【００３０】
次に、上記制御装置２０の制御系の構成について、それをブロック図で示す図４を参照して説明する。
制御装置２０には、曲データの送信要求、デュエット制御、音声制御、映像制御、曲の演奏順序の予約および演奏順序の変更などをプログラムにしたがって行うＣＰＵ４５が備えられている。このＣＰＵ４５には、選曲された曲の番号を示す選曲番号データなどを一時保存するＲＡＭ４６と、送信器７０から送信されるコマンドに対応する制御コマンドなどが記憶されたＲＯＭ４７と、ＣＰＵ４５による演算結果を一時保存するＲＡＭ４８，４９と、ＤＶＤプレーヤ５９により読出された音声データを書換可能に記憶するＲＡＭ５０とが接続されている。
【００３１】
また、ＣＰＵ４５には、サーバー５２から通信回線５３および通信端子４０を介して入力され、通信用モデム５４によりデジタル信号に変換された曲データをハードディスクメモリに蓄積するハードディスクドライブユニット（以下、ＨＤＤと略称する）５１が接続されている。このＨＤＤ５１には、上記各制御、後述する各回路の動作制御をＣＰＵ４５に実行させるためのプログラム、デュエット曲の選曲番号と他人の音声データとをテーブル形式で対応させたパートデータテーブル（図７参照）などが記録されている。サーバー５２には、曲データが記憶されたＨＤＤ１５が備えられている。
【００３２】
さらに、ＣＰＵ４５には、マイクロフォン１７，１８からアンプ１６を通って音声入力端子４２を介して入力される音声をＭＰＥＧオーディオ圧縮方式でエンコードする歌唱音声記憶手段たるエンコーダ６６と、上記音声の周波数を解析する音声判別手段たる周波数解析回路６５と、ＤＶＤ−ＲＡＭ、または、ＲＡＭ５０から読出された音声データを音声制御回路５５へ出力するための歌唱音声出力手段たるデコーダ６７とが接続されている。
【００３３】
また、ＣＰＵ４５には、タイマ５８のカウントにしたがって歌唱情報たるＭＩＤＩデータをＭＩＤＩ音源５７へ書き込む制御を行うシーケンサ５６と、ＭＩＤＩ音源５７から出力される音データおよびデコーダ６７から出力される音声データを入力してアナログ信号に変換する音声制御回路５５とが接続されている。また、ＣＰＵ４５には、エンコーダ６６から出力される音声データをＤＶＤ−ＲＡＭに記録するとともに、記録されている音声データやメッセージ映像データを再生するＤＶＤプレーヤ５９と、背景映像データが記録されたＣＤ−ＲＯＭを再生するＣＤ−ＲＯＭプレーヤ６０とが接続されている。
【００３４】
さらに、ＣＰＵ４５には、ＣＤ−ＲＯＭプレーヤ６０から読出された背景映像データおよびＨＤＤ５１から読出された曲データ中の歌詞映像データを入力し、モニタ１２，１４に表示される映像として、図１３（Ｂ）に示すように、背景映像２００中に歌詞映像２０２がスーパーインポーズされた映像を作成したり、歌詞映像２０２にテロップ２０４をかけたりする映像制御回路６１が接続されている。この映像制御回路６１は、ＤＶＤプレーヤ５９により再生されるメッセージ映像データをモニタ１２，１４に表示する制御も行う。
また、ＣＰＵ４５には、受光部３８により受光された光信号をデジタル信号に変換する受光回路６２と、制御装置の前面パネルに設けられた各種ボタンを押したときに点灯するＬＥＤ、選曲番号表示体２３および予約曲数表示体２４へ表示信号を出力する表示回路６３と、上記各種ボタンを押したときに発生するスイッチング信号を入力する入力回路６４とが接続されている。
【００３５】
次に、本カラオケ装置１０を利用する者が、デュエット曲を選曲してカラオケをするに至るまでのカラオケ装置１０の一連の動作について図を参照して説明する。
まず、サーバー５２に備えられたＨＤＤ１５内に保存されている曲データおよびＭＩＤＩデータの構成について図６を参照して説明する。
図６（Ａ）に示すように、曲データ１００は、デュエット曲であることを示す識別データＤ０、選曲番号を示す選曲番号データ１０１、ＭＩＤＩデータ１１０、歌詞映像データ１０２などから構成される。
【００３６】
また、図６（Ｂ）に示すように、ＭＩＤＩデータ１１０は、マイクロフォン１７，１８から入力される音声をエンコーダ６６によりエンコードするタイミングとなるスタートタイミングデータＳＴ、デュエットで歌う部分のＭＩＤＩデータであるデュエットデータＤ１ないしＤ３、各デュエットデータの再生開始タイミングを示すタイミング情報たるスタートアドレスＳ１，Ｓ３，Ｓ５、各デュエットデータの再生停止タイミングを示すストップアドレスＳ２，Ｓ４，Ｓ６などから構成される。
【００３７】
次に、ＤＶＤプレーヤ５９に収容されたＤＶＤ−ＲＡＭに記憶されているパートデータテーブルの記憶内容について図７を参照して説明する。
ＤＶＤ−ＲＡＭには、デュエット曲の選曲番号と、男性が歌うパート、女性が歌うパートなどのパート種別と、デュエットで歌ったときにマイクロフォン１７，１８から入力された人の音声を示す音声データ（以下、パートデータと略称する）とが対応して記録されたパートデータテーブル１２０が記憶されている。また、各パートデータは、それぞれスタートアドレスおよびストップアドレスを有する。
【００３８】
次に、カラオケを行う場合のＣＰＵ４５による制御内容について、それを示す図９ないし図１２のフローチャートを参照して説明する。
図９は、ＣＰＵ４５の主制御内容を示すメインルーチンであり、図１０および図１１は、ＣＰＵ４５によるデュエット制御の内容を示し、図１２は、マイクロフォン１７，１８から入力される音声の周波数を演算する処理内容を示す。
【００３９】
最初に、利用者が２人でデュエット曲を歌い、その歌声をＤＶＤプレーヤ５９により記録する場合について説明する。
まず、利用者が、送信器７０を制御装置２０に向けて、電源ボタン７１を押すと、制御装置２０の電源が投入され、これに連動してモニタ１２，１４およびアンプ１６が起動する。そして、送信器７０の選曲ボタン８１を押すと、選曲可能状態になり、テンキー８０を押して歌いたい曲の選曲番号を入力する。このとき、テンキーを押す毎に、その押したキーに対応する数字が、モニタ１２，１４および制御装置２０の選曲番号表示体２３に表示され、選曲番号の確認をできるようになっている。
なお、選曲中であることは、表示された数字が点滅表示されることにより確認できるようになっている。
【００４０】
そして、選曲番号の入力が終了し、選曲ボタン８１を押すと入力した選曲番号が確定されるとともに、その選曲番号を示す選曲番号データがＲＡＭ４６に一時格納される（ステップ１００）。続いて、その一時格納された選曲番号データをＲＡＭ４６から読出すとともに、その読出した選曲番号データにより示される選曲番号に対応する曲データ１００の送信要求を示すリクエスト信号をサーバー５２へ送信する（ステップ２００）。すると、
サーバー５２は、自己のＨＤＤ１５から上記リクエスト信号に示される選曲番号に対応する曲データ１００を検索して読出し、その読出された曲データ１００は、通信回線５３を介して制御装置２０により受信され（ステップ３００）、通信用モデム５１によってＣＰＵ４５により処理可能なデータに変換されてＨＤＤ５１への一時保存が開始される。
【００４１】
続いて、曲データ１００のＨＤＤ５１への保存が終了すると、ＨＤＤ５１から曲データ１００が読出され、その曲データ１００に識別データＤ０が付されているか、つまり、曲データ１００は、デュエット曲を示す曲データであるかが判定される（ステップ４００）。
ここでは、曲データ１００は、デュエット曲を示すものとし、ステップ５００のデュエット曲制御へ移行する。
【００４２】
そして、モニタ１２，１４に「選ばれた曲は、デュエット曲です。１人で歌われますか、それとも、デュエットされますか。１人で歌われる場合は、送信器のソロ設定ボタンを押してください。」という内容のメッセージ映像を表示させる（ステップ５０２）。続いて、ソロ設定ボタン８６が所定時間押されないと（ステップ５０４）、モニタ１２，１４に「あなたの歌声を録音してもいいですか。録音を許可される場合は、送信器のＯＫボタンを押してください。録音された歌声は、他の人が、デュエット曲を１人で歌う場合に一方のパートとして再生されることがあります。」という内容のメッセージ映像を表示させる（ステップ５０６）。
【００４３】
そして、ＯＫボタン９３が押されると（ステップ５０８）、モニタ１２，１４に「男性はマイク１を、女性はマイク２をお使いください。マイクの指向性切替スイッチを「強」に設定してください。」という内容のメッセージ映像を表示させる（ステップ５１０）。
つまり、マイクロフォン１７，１８の指向性を強くすることにより、歌声以外の音が極力マイクロフォンから入らないようにする。
続いて、ＨＤＤ５１から曲データ１００が読出され（ステップ５１２）、曲データ１００に含まれるＭＩＤＩデータ１１０が有するスタートタイミングデータＳＴが、シーケンサ５６によりＭＩＤＩ音源５７に書き込まれる（ステップ５１４）。
つまり、スタートタイミングデータＳＴが、シーケンサ５６によりＭＩＤＩ音源５７に書き込まれるタイミングが、マイクロフォン１７，１８から入力される音声のエンコーダ６６によるエンコードのタイミングとなる。
【００４４】
続いて、曲データ１００に含まれる歌詞映像データ１０２は、映像制御回路６１に入力され、モニタ１２，１４に表示可能な歌詞映像信号に変換される。また、曲データ１００には、曲のジャンルを特定するジャンルデータ（図示省略）が含まれており、このジャンルデータに対応する背景映像データがＣＤ−ＲＯＭプレーヤ６０により読出されるとともに、映像制御回路６１に入力され、背景映像信号に変換される。
つまり、背景映像および歌詞映像は、図１３（Ｂ）に示すように、背景映像２００の中に歌詞映像２０２がスーパーインポーズされて表示される。
【００４５】
また、ＭＩＤＩデータ１１０は、シーケンサ５６に取り込まれ、タイマ５８のカウントにしたがってＭＩＤＩ音源５７に書き込まれる。ＭＩＤＩ音源５７にＭＩＤＩデータの書き込まれた部分の音源データは、音声制御回路５５へ出力され、アンプ１６によって増幅可能なアナログの音楽信号に変換される。この音楽信号は、アンプ１６へ出力され、増幅された後にスピーカ１１，１１、スピーカ１３，１３へ出力され、両スピーカによって再生される（ステップ５１６）。
【００４６】
また、マイクロフォン１７，１８から入力された音声は、アンプ１６に内蔵されたマイクミキシング回路により、上記音楽信号とミキシングされ、このミキシングされたミキシング信号は、アンプ１６により増幅された後にスピーカ１１，１１、スピーカ１３，１３へ出力され、両スピーカによって音楽信号および音声信号が再生される。
つまり、利用者は、自分の選んだ曲をモニタ１２，１４の画面に映し出された背景映像２００および歌詞映像２０２を見ながらマイクロフォン１７，１８を通して歌う（カラオケする）ことができる。
【００４７】
また、ＭＩＤＩデータ１１０のスタートタイミングデータＳＴがＭＩＤＩ音源５７に書き込まれたタイミングで、マイクロフォン１７，１８から入力された音声は、エンコーダ６６によりＭＰＥＧオーディオ圧縮方式により圧縮されてデータ化が開始され（ステップ５１８）、音声データとしてＤＶＤ−ＲＡＭに格納される（ステップ５２０）。マイクロフォン１７（マイク１）から入力された男性の音声は、男性音声データとして記録され、
マイクロフォン１８（マイク２）から入力された女性の音声は、女性音声データとして記録される。この記録は、図７のパートデータテーブル１２０により示されるパートデータＰ１ないしＰ６を埋めて行く形で行われる。
【００４８】
たとえば、最初に男性が歌うパートを有するデュエット曲を歌った場合には、男性音声データは、パートデータＰ１の領域に記憶される。このとき、パートデータＰ１の先頭には、読出し開始タイミングを示すスタートアドレスＳ１が付され、パートデータＰ１の末尾には、読出し終了タイミングを示すストップアドレスＳ２が付される。
【００４９】
続いて、歌い手の歌唱力の採点が開始され（ステップ５２２）、曲データ１００の再生が終了すると（ステップ５２４）、採点結果が演算される（ステップ５２６）。この採点は、採点の原理を説明する図８に示すように、曲データ１００のメロディーラインの音程と歌い手のボーカルラインの音程のずれの大きさに基づいて行われる。たとえば、時間ｔ１における主旋律の音程Ｌ１と歌声の音程Ｌ２との差（Ｌ２−Ｌ１）を一定時間毎に演算するとともに、その平均値を算出し、この平均値に対応する点数を平均値と点数とを対応させた採点テーブル（図示省略）から読出す。
【００５０】
そして、採点結果が７０点以上である場合には（ステップ５２８）、メインルーチンへ戻り、上記デュエット制御を終了する。また、採点結果が７０点より低い場合には、ＤＶＤ−ＲＡＭのパートデータテーブル１２０に格納されたパートデータを消去する（ステップ５２７）。
つまり、採点結果が７０点より低い場合は歌が下手であるとみなし、他の人がデュエット曲を１人で歌う場合の他のパート再生用に用いることを禁止する。
【００５１】
次に、上記ステップ５０４において、利用者がソロ設定ボタン８６を押した場合、つまり、利用者が１人でデュエット曲を歌う場合に、他のパートを歌う音声データをＤＶＤプレーヤ５９により再生する場合について図１１を参照して説明する。
まず、上記ステップ１００において選曲されたデュエット曲の音声データ（デュエットデータ）が、ＤＶＤ−ＲＡＭのパートデータテーブルに記憶されているかを検索し（ステップ５３０）、デュエットデータが記憶されている場合は（ステップ５３２）、モニタ１２，１４に「送信器のデュエットボタンを押すと、あなたが歌うパート以外のパートをカラオケ装置に記憶されている他の人の音声で歌わせることができます。デュエットボタンを押しますか。」と表示する（ステップ５３４）。
つまり、デュエット曲であっても、全パートを１人で歌いたい人もいるため、１人で歌うか他のパートを他人の声で歌わせるかを確認する。
【００５２】
そして、デュエットボタン８７が押されると（ステップ５３６）、図１３（Ａ）に示すように、モニタ１２，１４に「あなたが男性のパートを歌う場合は送信器の「女」を、女性のパートを歌う場合は「男」を押してください。異性のパートをカラオケ装置が歌います。最後にＯＫボタンを押すと選択が確定されます。」と表示する（ステップ５６０）。
続いて、ＯＫボタンが押されると（ステップ５６２）、選択された番号に対応するパートデータがＤＶＤ−ＲＡＭのパートデータテーブル１２０から読み出されるとともに、ＲＡＭ５０に格納される（ステップ５６４）。
【００５３】
たとえば、選曲された曲が、選曲番号３のデュエット曲であり、女性パート選択ボタン８９を押したとすると、パートデータテーブル１２０から、女性音声データを示すパートデータＰ４ないしＰ６が読出され、ＲＡＭ５０に格納される。
続いて、曲データ１００がＨＤＤ５１から読出され（ステップ５６６）、再生される（ステップ５６８）。そして、曲データ１００のＭＩＤＩデータ１１０に含まれるスタートタイミングデータＳＴが読み出されてＭＩＤＩ音源５７に書き込まれると（ステップ５７０）、ＲＡＭ５０からパートデータが読出され、デコーダ６７によりデコーダが開始される（ステップ５７２）。
【００５４】
このデコーダ６７から、出力されたパートデータは、音声制御回路５５によりアナログの音声信号に変換され、アンプ１６により増幅された後、スピーカ１１，１１およびスピーカ１３，１３により、上記選択したパートを歌う歌声となって再生される。
そして、ＭＩＤＩデータ１１０のストップアドレスＳ２が読み出されると（ステップ５７４）、パートデータのデコードが停止される（ステップ５７６）。続いて、次に再生すべきパートデータが存在するかが判定され（ステップ５７８）、存在する場合は、上記ステップ５７０ないしステップ５７８を繰り返し、存在しない場合は、曲データ１００の再生終了を待って（ステップ５８０）、メインルーチンへ戻り、デュエット制御を終了する。
【００５５】
以上のように、本実施形態のカラオケ装置１０によれば、デュエット曲の一方のパートをＤＶＤ−ＲＡＭに記憶された他人の音声に歌わせることができるため、１人でもデュエット曲をデュエットすることができる。特に、自分の音声を電気的に変換して作り出した音声ではなく、記憶された人の歌声を再生することができるため、違和感がなく、実際に２人でデュエットしている雰囲気で歌うことができる。
【００５６】
また、選曲した曲が、同性の複数人のシンガーが歌う曲など、高音のパートおよび低音のパートに分かれているデュエット曲の場合には、上記ステップ５６０において、モニタ１２，１４に「あなたが高音のパートを歌う場合は送信器の「高」を、低音のパートを歌う場合は「低」を押してください。あなたが歌わない方のパートをカラオケ装置が歌います。」と表示される。そして、高音パート選択ボタン９０を押すとパートデータテーブル１２０から高音のパートを示すパートデータが読出され、低音パート選択ボタン９１を押すと、低音のパートを示すパートデータが読出され（ステップ５６４）、再生される（ステップ５６８）。たとえば、選曲された曲が、パートデータテーブル１２０において選曲番号８のデュエット曲の場合は、高音パート選択ボタン９０を押すとパートデータＰ７が読出され、低音パート選択ボタン９１を押すとパートデータＰ８が読出され、再生される。
【００５７】
さらに、選曲した曲が、男女が同時に歌うパートと、独立して歌うパートとが混在しており、カラオケ装置に歌わせたいパートを特定し難いような曲を選曲した場合は、上記ステップ５６０において、モニタ１２，１４に「カラオケ装置に歌わせたいパートを次の中から選び、その番号と同じ番号の選択ボタンを押してください。」と表示される。そして、押した選択ボタン９２の番号に対応する番号のパートデータがパートデータテーブル１２０から読出され（ステップ５６４）、再生される（ステップ５６８）。
たとえば、選曲された曲が、パートデータテーブル１２０において選曲番号５００のデュエット曲の場合は、選択ボタン９２の中の「１」のボタンを押すとパートデータＰ５００が読出され、再生される
【００５８】
このように、本実施形態のカラオケ装置１０によれば、色々な種類のデュエット曲であっても、一方のパートを記憶しておくことにより、１人でもデュエットしている本格的な雰囲気で歌うことができる。
【００５９】
その後、曲データ１００の再生が終了すると（ステップ５８０）、デュエット曲制御を終了して、メインルーチンへ戻り、予約曲があるかが判定され（ステップ７００）、予約曲がない場合は、ステップ１００へ戻り、予約曲がある場合は、ＲＡＭ４６に格納されている予約曲番号データを読み出し（ステップ８００）、ステップ２００へ戻り、その予約曲番号データにより示される選曲番号の曲データのリクエストが行われる。
【００６０】
ところで、上記実施形態では、男女で歌うデュエット曲が選曲された場合に、いずれのパートをカラオケ装置１０に歌わせるかを設定する手段として、送信器７０の男性パート選択ボタン８８、または、女性パート選択ボタン８９を押して設定する手段を用いたが、
マイクロフォン１７，１８から入力される音声の周波数の高低を検出して自動設定することもできる。その設定をする場合のＣＰＵ４５の制御内容を図１２に示す。
【００６１】
ステップ５３０ないしステップ５３４、およびステップ５６６ないしステップ５８０は、図１１に示されているため図示を省略する。
デュエットボタン８７が押されると（ステップ５３６）、モニタ１２，１４に「マイクロフォンに向かって何か話してください。」という内容のメッセージ映像が表示され（ステップ５３８）、マイクロフォンから音声が入力されると（ステップ５４０）、その入力された音声の周波数解析が制御装置２０の周波数解析回路６５によって行われる。そして、その解析結果に基づいて入力された音声の平均周波数Ｈが演算され（ステップ５４２）、基準周波数Ｈ１と比較される（ステップ５４４）。
【００６２】
続いて、平均周波数Ｈが基準周波数Ｈ１より低い場合は、マイクロフォンから入力された音声は、男性の声であると判定され、パートデータテーブルから男性パートデータが読み出される（ステップ５４６）。また、平均周波数Ｈが基準周波数Ｈ１より高い場合は、
女性パートデータが読み出される（ステップ５４５）。
このように、マイクロフォンから入力される音声の周波数の大きさに基づいてカラオケ装置１０に歌わせるパートを自動設定することができるため、非常に便利である。
なお、歌い始めにマイクロフォンから入力される音声の周波数解析を行い、カラオケ装置１０に歌わせるパートを自動設定するように構成することもできる。
【００６３】
また、上記各実施形態では、マイクロフォン１７，１８から入力される音声をＤＶＤプレーヤ５９を用いて記憶する場合を説明したが、ＨＤＤ５１に記憶させることもできる。
ところで、ＣＰＵ４５により実行されるステップ５１８およびステップ５２０が、本発明の歌唱音声記憶手段として機能し、ステップ５６０およびステップ５６２が、歌唱音声選択手段として機能する。また、ステップ５６４が、本発明の歌唱音声読出手段として機能し、ステップ５７０ないしステップ５７８が歌唱音声出力手段として機能する。
さらに、ＣＰＵ４５により実行されるステップ５２２ないしステップ５２６が本発明の演算手段として機能し、ステップ５２８およびステップ５２７が音声再生禁止手段として機能する。
【００６４】
【発明の効果】
以上のように、本発明によれば、デュエット曲を１人で歌う場合に、他方のパートを他人の声で再生することにより、本当に２人でデュエットしている感じを出すことができる楽音再生装置を実現することができる。
【図面の簡単な説明】
【図１】  本発明実施形態のカラオケ装置の外観説明図である。
【図２】  （Ａ）は、カラオケ装置に備えられた制御装置の前面パネルの説明図であり、（Ｂ）は、制御装置の背面パネルの説明図である。
【図３】  カラオケ装置に備えられた送信器の説明図である。
【図４】  制御装置の制御系の構成を示すブロック図である。
【図５】  マイクロフォンの外観説明図である。
【図６】  （Ａ）は曲データの構成を示す説明図であり、（Ｂ）はＭＩＤＩデータの構成を示す説明図である。
【図７】  パートデータテーブルの説明図である。
【図８】  採点の原理を示す説明図である。
【図９】  ＣＰＵ４５により実行される主要制御の内容を示すフローチャートである。
【図１０】  マイクロフォンから入力される音声を記憶する場合のＣＰＵ４５により実行される制御内容を示すフローチャートである。
【図１１】  記憶されている音声データを再生する場合にＣＰＵ４５により実行される制御内容を示すフローチャートである。
【図１２】  マイクロフォンから入力される音声の周波数解析を行う場合のＣＰＵ４５の処理内容を示すフローチャートである。
【図１３】  （Ａ）は、ステップ５６０におけるモニタの表示を示す説明図であり、（Ｂ）は、背景映像に歌詞映像がスーパーインポーズされたモニタの表示を示す説明図である。
【符号の説明】
１０          カラオケ装置
１１，１３    スピーカ
１２，１４    モニタ
１６          アンプ
１７，１８    マイクロフォン
１７ｂ        指向性切替スイッチ
２０          制御装置
４５          ＣＰＵ
５１          ＨＤＤ
５２          サーバー
５３          通信回線
５９          ＤＶＤプレーヤ
６０          ＣＤ−ＲＯＭプレーヤ
６６          エンコーダ
６７          デコーダ
７０          送信器
１００          曲データ
１１０          ＭＩＤＩデータ
【図１】
0003871382.tif 000002
【図２】
0003871382.tif 000003
【図３】
0003871382.tif 000004
【図４】
0003871382.tif 000005
【図５】
0003871382.tif 000006
【図６】
0003871382.tif 000007
【図７】
0003871382.tif 000008
【図８】
0003871382.tif 000009
【図９】
0003871382.tif 000010
【図１０】
0003871382.tif 000011
【図１１】
0003871382.tif 000012
【図１２】
0003871382.tif 000013
【図１３】
0003871382.tif 000014